(57)【特許請求の範囲】
【請求項１】
側方に流入口、流出口を、下端に排水口を位置させ、内部に逆流防止弁を収容する弁箱内を、ピストンが上下動して通止水、排水を行う水抜弁において、弁箱側方に、逆流防止弁上流の流入口側から排水口に至るバイパスを形成し、その中間に、流出口に流出側バイパスを介して連通する排水室をもうけ、その内部に、流入口からの圧力水を遮断する大径の受圧パッキン、および流出側バイパスと排水口間を遮断する小径の排水パッキンを装着する排水弁を収容してなる逆流防止型水抜弁。
【発明の詳細な説明】
【０００１】
【発明の属する技術分野】
本発明は、逆流防止型水抜弁に関し、特に、逆流防止を一層確実ならしめた水抜弁に関する。
【０００２】
【従来の技術】
従来、この種の水抜弁には、弁箱の流入口や流出口内に逆流防止弁を収容したもの、あるいは同一出願人による特願平６ー７９４８０号公報のもののように、修理、点検を容易に行えるよう、ピストンの細径部にばねにより押圧された逆流防止弁を別体に装着したもの等、いろいろな種類のものが使用されてきている。しかし、上記のものにあっては、逆流防止弁のパッキンが損傷したり、パッキンに異物がはさまったりしたような場合、逆流を阻止する手段がなく、特に、最近普及がめざましい、直結給水用として使用するには、信頼性に問題があった。
【０００３】
【発明が解決しようとする課題】
そのため本発明は、パッキンが損傷しても逆流が生じにくい、より信頼性に優れた逆流防止型水抜弁を提供することを目的とする。
【０００４】
【課題を解決するための手段】
上記目的を達成するため本発明は、弁箱側方に逆流防止弁上流側の流入口から排水口に至るバイパスを形成し、その中間に、流出口と流出側バイパスを介して連通する排水室をもうけ、その内部に、流入口からの圧力水を遮断する大径の受圧パッキン、および流出側バイパスと排水口間を遮断する小径の排水パッキンを装着する排水弁を収容してなり、本管側に断水等により負圧が発生した場合は、流出側圧力に押圧されて排水パッキンが流出側バイパスを開放し、流出口側配管内の水を排水口から排出できるようにしたものである。
【０００５】
【発明の実施の形態】
実施例においてはピストンに逆流防止弁を装着または連結した例を示しているが、これは流入口にも流出口にも収容することができる。流入口にもうける場合は、バイパスはその上流側からもうけなければならない。逆流防止弁および排水弁には断面Ｙ状の１方向密封性のパッキンを使用して、できるだけ摩擦抵抗を小さくするようにしているが、通常のＯリングを使用することもでき、さらにはダイヤフラムを使用して排水パッキンを一体に成形することもできる。
【０００６】
操作桿をねじで上下動させる代わりに、カム、レバー等で上下動させ、ハンドル回転数を少なくしても良く、モーターを用いて電気的に遠隔操作するようにもできる。
【０００７】
流入口、流出口間のシリンダにピストンのＯリングが密着して止水するようにしているが、シリンダのかわりに弁座をもうけ、ピストンに装着した平パッキンにより止水するようにもできる。
【０００８】
【実施例】
実施例について図面を参照して説明すると、図１において、１は弁箱であり、側壁に流入口２、流出口３を、下端に排水口４をもうけている。内部には、流入口２の上方にシリンダ５を、流入口２と流出口３間にシリンダ６を、流出口３と排水口４間に、上記シリンダ５、６より小径のシリンダ７を同軸上に形成する。
【０００９】
上端に、操作部本体８を接続、固定し、その内部に作動用雄ねじ９を有する操作桿１０を収容し、操作桿１０の下端にピストン１１を回転自在に連結し、上端にはハンドル１２を取り付ける。
【００１０】
ピストン１１には上記シリンダ５、６、７をそれぞれ摺動する環状パッキン１３、１４、１５を装着し、環状パッキン１４、１５間に形成される細径部１６に、外側逆止パッキン１７、内側逆止パッキン１８を装着し、ばね１９により上向きに押圧された逆止弁体２０をもうけて逆流防止弁２１を形成する。逆止弁体２０は下端に切り欠き２２をもうけ、排水時の通路にしている。
【００１１】
弁箱１の側壁に、流入側バイパス２３’、流出側バイパス２３”からなるバイパス２３を形成し、その中間に横向きに排水室２４をもうけ、流出側バイパス２５を介して流出口３と連通している。流出側バイパス２５の左端に小径の排水弁座２６を形成し、さらにその左方に大径の受圧シリンダ２７をもうける。排水室２４には上記排水弁座２６および受圧シリンダ２７に密着する小径の排水パッキン２８と大径の受圧パッキン２９を装着する排水弁３０を収容し、プラグ３１で離脱しないようにしている。流入側バイパス２３’は流入口２からプラグ３１と受圧パッキン２９間に開口し、排水側バイパス２３”は受圧パッキン２９と排水弁座２６間から排水口４に開口している。
【００１２】
図は下流側配管末端の蛇口を閉じている状態、すなわち停水状態を示しているが、この状態で蛇口を開いたとき、流入口２からの水はばね１９を圧縮して逆止弁体２０を押し下げ、シリンダ６と細径部１６の間隙を通って流出口３から、図示しないが流出側配管へと流れ出る。この時には環状パッキン１３と１５がシリンダ５、７に、排水パッキン２８と受圧パッキン２９が排水弁座２６と受圧シリンダ２７に密着しており、他所への流出はない。
【００１３】
通水状態で、本管側の断水等による負圧が発生したときには、ばね１９の復元力により逆止弁体２０は直ちに上昇し、内側逆止パッキン１８は細径部１６に、外側逆止パッキン１７はシリンダ６に密着し、逆流を防止するが、同時に、流入側バイパス２３’内も負圧状態になるので、受圧パッキン２９は密封を減じ、排水弁３０は流出側圧力に押圧されて流出側バイパス２５を開放し、流出側配管内の水を排水側バイパス２３”から排水口４へと排出する。すなわち、逆止パッキン１７、１８に異物がはさまったり、損傷したようなときにも本管側への逆流を有効に防止し得ることになる。負圧状態が解消されたときには、流入側バイパス２３’からの圧力水を受けて排水弁３０は再び流出側バイパス２５を閉塞する。
【００１４】
次に、冬、管内の水抜きをするときは、図の状態からハンドル１２を回転させると操作桿１０は作動用雄ねじ９により回転しながら下降し、それに伴ってピストン１１は回転することなく下降し、まず、環状パッキン１４がシリンダ６に密着して流入口２からの水を遮断する。その後で環状パッキン１５がシリンダ７から離脱し、さらに下降して逆止弁体２０がシリンダ７上端に当接して下降を停止し、流出側配管内の水は切り欠き２２を通って排水口４から排出され、管内は空になるので、凍結は防止される。
【００１５】
なお、冬、水を落とし忘れて管内が凍結し、異常圧力が発生したときに、逆流防止弁２１の働きにより、異常圧力が本管側に逃げることができず、管の破損等につながる事故も発生していたが、本発明においては、流出側配管内の圧力が上昇し、互いの押圧力が逆転したときに、排水弁３０は排水小孔２５を開いて、異常圧力を排水口４へと逃がすため、上記のような事故は生じない。
【００１６】
図２には、排水弁３０の流出側バイパス２５からの圧力水の導入方法を変更した実施例を示しているが、排水弁３０を排水口４側方にもうけ、流出側バイパス２５からの圧力水を大径の受圧パッキン２９と小径の排水パッキン２８間に開口するとともに、排水側バイパス路２３”左端に排水弁座２６を形成し、排水パッキン２８で閉塞するようにしている。従って、常態においては受圧パッキン２９に同圧が作用しており、パッキンに過度の変形が与えられないようにしている。
【００１７】
図３に本発明のもう一つの実施例を示すが、弁箱１には流入口２、流出口３間に１個のシリンダ６を有し、流入側バイパス２３’と排水側バイパス２３”からなるバイパス２３中間部に４５゜に傾斜させた排水室２４をもうけ、流出側バイパス２５先端に半球状の排水弁座２６を形成する。排水弁３０に上記排水弁座２６を閉塞する平パッキン状の排水パッキン２８を装着し、先端に突起３２をもうけて流出側バイパス２５から突出させている。
【００１８】
操作部本体８の上端部に、小径の環状パッキン１３’を装着し、流入口２からの圧力水を遮断するようにしている。ピストン１１には上記シリンダ６に密着する環状パッキン１４を装着し、下端に鍔部３３を形成する。
【００１９】
逆流防止弁２１は比重が１より小さい樹脂で形成されており、シリンダ６に密着する外側逆止パッキン１７を装着し、下端にテーパー状の押圧部３４を、上端に鍔部３３よりやや大径の係止部３５をもうけ、上端から係止部３５の下方に至る割部３６を形成して、ピストン１１と上下動自在に連結している。
【００２０】
図は停水状態を示しているが、排水状態にするときは、図１のものと同様、ピストン１１を下降させると良く、先ず環状パッキン１４がシリンダ６に密着して流入口２からの水を遮断し、その後で、逆流防止弁２１の押圧部３４が突起３２を押圧して排水弁３０を押し下げ、流出口３側の配管内の水は流出側バイパス２５、排水側バイパス２３”を通って排水口４から排出される。
【００２１】
逆流防止弁２１は比重が１より小さいため、本管側に負圧が発生したときには浮力で直ちに上昇し、外側逆止パッキン１７がシリンダ６に密着して逆流を防止する。ピストン１１に装着するときは、割部３６により係止部３５を押しすぼめるようにして挿入すればよい。
【００２２】
【発明の効果】
上述したように本発明の水抜弁にあっては、本管側に負圧が生じた場合には排水弁が開いて、流出側配管内の水を排水口に排出するため、逆止パッキンが損傷したような場合にあっても、それだけ本管側に汚水が吸引される可能性が少なくなり、より信頼性が向上するという効果の他に、凍結や水撃作用による異常圧力上昇によって配管が破損されるのを防止できる、という利点も併せ有する。
【図面の簡単な説明】
【図１】本発明の１実施例を示す、停水状態における縦断面図である。
【図２】本発明の他の実施例を示す、同じく停水状態における要部縦断面図である。
【図３】本発明のもう一つの実施例を示す、同じく停水状態における縦断面図である。
【符号の説明】
１              弁箱                  ２              流入口
３              流出口                ４              排水口
５、６、７      シリンダ              ８              操作部本体
９              作動用雄ねじ        １０              操作桿
１１              ピストン            １２              ハンドル
１３、１４、１５  環状パッキン        １６              細径部
１７              外側逆止パッキン    １８              内側逆止パッキン
１９              ばね                ２０              逆止弁体
２１              逆流防止弁          ２２              切り欠き
２３              バイパス            ２３’            流入側バイパス
２３”            排水側バイパス      ２４              排水室
２５              流出側バイパス      ２６              排水弁座
２７              受圧シリンダ        ２８              排水パッキン
２９              受圧パッキン        ３０              排水弁
３１              プラグ              ３２              突起
３３              鍔部                ３４              押圧部
３５              係止部              ３６              割部
【図１】
0003918226.tif 000002
【図２】
0003918226.tif 000003
【図３】
0003918226.tif 000004